(57)【要約】      （修正有）【課題】治療器具の有用性を最大限発揮し、吸入操作が正しく行われたかを、利用者を含め、客観的にその都度、確認することが可能な喘息治療薬吸入器を提供する。【解決手段】呼子付喘息治療薬吸入器１は、微細粉末状薬剤の吸入経路の途中にあるマウスピース２の一部に設けた空気を取り入れるための小孔に呼子３を取り付け、吸気が確実に行われた場合には音が発生するようにしたことを特徴とする。【選択図】  図１
2004195191.tif 000002
【特許請求の範囲】
【請求項１】
微細粉末状薬剤の吸入経路の途中にあるマウスピースの一部に設けた空気を取り入れるための小孔に呼子を取り付け、吸気が確実に行われた場合には音が発生するようにしたことを特徴とする喘息治療薬吸入器。
【請求項２】
微細粉末状薬剤を巻き上げる為の空気流路の上流に設けられた空気取り入れ孔に呼子を取り付け、吸気が確実に行われた場合には音が発生するようにしたことを特徴とする喘息治療薬吸入器。
【発明の詳細な説明】
【０００１】
【発明の属する技術分野】
本発明は、気管支喘息の患者が、喘息用の微細粉末治療薬を吸入する際に、確実に吸入操作が行われたことを患者本人が確認できるよう、音が出る、呼子付きの喘息治療薬吸入器である。
【０００２】
【従来の技術】
従来、喘息の治療薬は内服薬が主体であったが、その後フロンガスを充填した小型ボンベによる液状の薬剤を噴霧・吸入するタイプの喘息治療薬吸入器が開発された。
【０００３】
周知の如く、フロンガスは環境破壊の原因であり、人体への影響も懸念されるため、最近では微細粉末状の薬剤を患者本人の吸気の力で自己吸入する方式の治療薬が主流になりつつある。図７から図９は、前記治療薬を自己吸入する方式の吸入器の一例を示した図である。
【０００４】
図７は従来の吸入器の正面図、図８は従来の吸入器の右側面図及び図９は従来の吸入器の平面図を示す図である。図７から図９に示すように、喘息治療薬吸入器９は、本体９ａ、ディスクカバー９ｂ、マウスピース１０、微細粉末状の治療薬が分包されたロタディスク１１、小室１２から構成されている。
【０００５】
図７、図８及び図９に示すように、マウスピース１０の左右両側に小孔１０ａ、１０ａが設けられている。前記小孔１０ａ、１０ａは、吸気の際に空気を取り入れるためのものである。
【０００６】
即ち、吸気肺活量と微細粉末薬剤吸入経路の空気流量の差を補正し、吸気時の呼吸困難を生じないようにする為の小孔１０ａである。前記小孔１０ａが設けられていない場合は、吸気時に息苦しさを感じることとなる。
【０００７】
本体９ａの表面には、ディスクカバー９ｂが取り付けられており、ディスクカバー９ｂの上部中央には針部９ｃが設けられている。前記針部９ｃは、治療薬が分包されたロタディスク１１に吸入の為の孔１１ａを開ける為のものである。符号９ｄは、半円形状の突起である。
【０００８】
吸入器９を使用して治療薬を吸入する際、使用の直前にディスクカバー９ｂを持ち上げることで、微細粉末状の治療薬が分包されたロタディスク１１の該当部分に針部９ｃが突き刺さり、孔１１ａが開けられる。
【０００９】
孔１１ａを開けてから、患者がマウスピース１０を吸うと、空気と共に治療薬がロタディスク１１内から小室１２内に流れ込む。小室１２内に流れ込み、一度拡散された治療薬は、更に格子１３を通ることでバラバラに拡散され、マウスピース１０から口腔内に吸入されるのである。
【００１０】
このような微細粉末状の治療薬を自己吸入する方式の吸入器には、図７から図９に示した喘息治療薬吸入器９以外にも幾つかのタイプがあるが、その殆どがマウスピースに空気を取り入れる為の小孔が設けられているという共通点がある。
【００１１】
図１５及び図１６は、図７から図９に示した喘息治療薬吸入器９とは異なる形状の従来から使用されている喘息治療薬吸入器２０である。本例の喘息治療薬吸入器２０は、円筒形状の本体２１にマウスピース２０ａが取り付けられた形状である。
【００１２】
喘息治療薬吸入器２０は、円筒形状の本体２１の筒体２１ａの上部外周面には４ヶ所の空気取り入れ溝２１ｃが設けられ、筒体２１ａの下部に取り付けられた嵌合部２１ｆには空気孔２１ｅが設けられている。筒体２１ａ内部には、吸入薬剤筒２１ｂ、目盛り２１ｄ、薬剤貯蔵筒２１ｇが内臓され、筒体２１ａの上部には仕切り蓋２１ｈが取り付けられている。前記仕切り蓋２１ｈにマウスピース２０ａを取り付ける。
【００１３】
喘息治療薬吸入器２０を使用して、喘息治療薬を自己吸入する場合は、マウスピース２０ａの上部２０ｂを口にくわえ吸い込むと、空気孔２１ｅから流入した空気が吸入薬剤筒２１ｂ内の治療薬を巻き上げてマウスピース２０ａの薬剤流入孔２０ｄからマウスピース２０ａ内に流れ込み、渦型溝２０ｃで渦流を発生させて微粉末状の治療薬を拡散させて、口腔内に吸入される。
【００１４】
この時、吸気肺活量と微細粉末薬剤吸入経路の空気流量の差を補正し、吸気時の呼吸困難を生じないようにする為、空気取り入れ孔溝２１ｃから空気が取り入れられる。
【００１５】
このように、従来から使用されている喘息治療薬吸入器は大きく分類すると、図７から図９に示したマウスピースに設けられた小孔から空気を取り入れる、即ち空気流路の下流部分から空気を取り入れるタイプと、図１５及び図１６に示したマウスピースの手前である本体下部及び本体上部から空気を取り入れる、即ち空気流路の上流部分から空気を取り入れるタイプの２種類に分類することができる。
【００１６】
【発明が解決しようとする課題】
しかしながら、図７から図９に示した吸入器９、図１５及び図１６に示した吸入器２０をはじめとして、微細粉末状の治療薬を自己吸入する方式の吸入器は、微細粉末状の治療薬が極めて微量であるため、患者本人が、吸入を確実に行えたかを確認できないとの欠点がある。
【００１７】
また、患者は、吸入器の吸入操作自体ができず、マウスピースを吹いてしまうお年寄りや小児の患者が多く、治療薬が患者に適切に作用することがないのが実状である。
【００１８】
そこで、本発明は、前記治療器具の有用性を最大限発揮し、吸入操作が正しく行われたかを、利用者を含め、客観的のその都度確認することが可能な喘息治療薬吸入器を提供することを目的とするものである。
【００１９】
【課題を解決する為の手段】
本発明である呼子付喘息治療薬吸入器は、上記の課題を解決する為に、微細粉末状薬剤の吸入経路の途中にあるマウスピースの一部に設けた空気を取り入れるための小孔に呼子を取り付け、吸気が確実に行われた場合には音が発生するようにしたことを特徴とする喘息治療薬吸入器の構成及び微細粉末状薬剤を巻き上げる為の空気流路の上流に設けられた空気取り入れ孔に呼子を取り付け、吸気が確実に行われた場合には音が発生するようにしたことを特徴とする喘息治療薬吸入器の構成とした。
【００２０】
【実施例】
以下に、添付図面に基づき、本発明である呼子付喘息治療薬吸入器について詳細に説明する。
【００２１】
図１は本発明である呼子付喘息治療薬吸入器の正面図、図２は本発明である呼子付喘息治療薬吸入器の右側面図、図３は本発明である呼子付喘息治療薬吸入器の平面図である。
【００２２】
図１から図３に示すように、本発明である呼子付喘息治療薬吸入器１は、本体１ａ、ディスクカバー１ｂ、微細粉末状の治療薬が分包されたロタディスク４、小室５、マウスピース２及びマウスピースに取り付けられた呼子３から構成されている。
【００２３】
呼子付喘息治療薬吸入器１の本体１ａには微細粉末状の治療薬が分包されたロタディスク４がセットされ、本体１ａの表面にはロタディスク４を覆うようにして、ディスクカバー１ｂが設けられており、ディスクカバー１ｂの上部中央には針部１ｃが設けられている。
【００２４】
前記針部１ｃは、治療薬が分包されたロタディスク４に治療薬を吸入する為の孔４ａを開ける為のものである。ディスクカバー１ｂを持ち上げることで、針部１ｃがロタディスク４の該当部分に突き刺さり、孔４ａを開けることができる。
【００２５】
図１に示すように、マウスピース２には、左右両側に左小孔２ａ、右小孔２ｂが設けられている。前記左右小孔２ａ、２ｂは、吸気の際に空気を取り入れる為のものである。即ち、吸気肺活量と微細粉末薬剤吸入経路の空気流量の差を補正し、吸気時の呼吸困難を生じないようにする為の左右小孔２ａ、２ｂである。
【００２６】
前記左右小孔２ａ、２ｂが設けられていない場合、若しくは左右小孔２ａ、２ｂがふさがれている場合は、吸気時に息苦しさを感じることとなる為に不適切である。
【００２７】
本発明である呼子付喘息治療薬吸入器１は、前記マウスピースに設けた左右の小孔２ａ及び２ｂのうち、右側に設けられた小孔２ｂに呼子３が取り付けられている。
【００２８】
前記呼子３は、吸気時に空気が呼子３内に流入すると、音を発するものである。即ち、マウスピースを誤って吹いてしまうなどせず、確実に吸入することが出来た場合に、音を発する呼子３である。ここで、呼子３は、マウスピースに設けられた左右の小孔２ａ、２ｂのうち、左右いずれに付けても構わない。
【００２９】
図３に示すように、マウスピース２ａと小室５の境界には、格子６が設けられている。吸入時にロタディスク４から空気と共に小室５内に流入し拡散した微細粉末状の治療薬が、前記格子６を通ることで、更にバラバラに拡散され、口腔内に吸入される。
【００３０】
図４は本発明である呼子付喘息治療薬吸入器を使用して治療薬を吸入している状態を示す図、図５は本発明である呼子付喘息治療薬吸入器を使用して治療薬を吸入している状態の一部拡大断面図、図６は呼子部分の拡大断面図である。
【００３１】
図４及び図５に示すように、患者７が呼子付喘息治療薬吸入器１を使用して治療薬を吸入する場合、先ず使用直前にディスクカバー１ｂを持ち上げ針部１ｃの先端をロタディスク４の該当部分に突き刺し、表面孔４ａ及び底面孔４ｂを開けておく必要がある。
【００３２】
孔４ａを開けた後に、患者７は呼子付喘息治療薬吸入器１のマウスピース２を口にくわえ、空気７ａを吸い込む。すると、ロタディスク４に設けられた表面孔４ａから空気８が流入し、ロタディスク４の底部に設けられた底面孔４ｂから空気８と共に微細粉末状の治療薬４ｃが、呼子付喘息治療薬吸入器１の小室５内に流入する。
【００３３】
患者７が吸気７ａを吸い込むと、孔４ａから空気８が流入すると同時に、吸気肺活量と空気流量の差を補正するために、マウスピース２に設けられた左小孔２ａ及び右小孔２ｂからも空気８ａ、８ｂが取り込まれる。
【００３４】
この時、右小孔２ｂには呼子３が取り付けられている為に、空気８ａがマウスピース２内に取り込まれることで、空気８ａが呼子３を通り、呼子３から音が発せられる。
【００３５】
図５及び図６に示すように、円筒状で有底の呼子３は、上部には流入口３ａが形成されていて、内部には仕切り３ｆがありその仕切り３ｆには通気孔３ｂが設けてある。仕切り３ｆの下方には中空の共鳴室３ｃがある。そして、通気孔３ｂの下方には上端が鋭角状に形成されているとともに、やや共鳴室３ｃ方向に曲がった突起３ｄがある。呼子３は、四角筒状、多角筒状等で有底の筒体でもよい。
【００３６】
流入口３ａから呼子３内に流入した空気８ａが、狭い通気孔３ｂを勢いよく通り抜け、流出口３ｅに設けられた突起３ｄに衝突し、その際に生ずる空気の振動を共鳴室３ｃで共鳴させることで「ピー」という音８ｄが空気８ａと共に流出口３ｅから発せられる。
【００３７】
前記のように空気８ａは、流入口３ａから呼子３内に流入し、流出口３ｅから呼子３の外へ流出されるので、マウスピース２に設けられた空気を取り入れるための小孔２ｂの役割を妨害することなく、空気を取り入れる役割を果たす。
【００３８】
この際、誤ってマウスピース２を吹いたり、吸気が十分でない場合には、呼子３に十分な空気が取り入れられないために、呼子３から音８ｄは発生せず、十分に吸入できた時だけ、呼子３からの音８ｄが発生する。それにより、治療薬を吸入する患者７自身や周囲の人間が、十分に治療薬を吸入したことを確認することができる。
【００３９】
前記呼子３は、脱着可能であるため、患者７が呼子付喘息治療薬吸入器１を用いた治療を開始した時には呼子３を取り付けたまま使用し、呼子付喘息治療薬吸入器１の操作に慣れたら、呼子３を取り外して使用することができる。
【００４０】
更に、呼子３が前記のように脱着可能であるために、図１から図６に示した呼子付喘息治療薬吸入器１は図７から図９に示した従来の喘息治療薬吸入器９に呼子３を取り付けたものである。
【００４１】
しかしながら、喘息治療薬吸入器９に限らず、マウスピース等の薬剤の吸入経路の途中に空気を取り入れるための小孔が設けられた微細粉末状の治療薬を自己吸入する方式の吸入器、即ち空気流路の渦流部分から空気を取り入れるタイプの吸入器であれば、空気を取り入れるための小孔に呼子を取り付けて呼子付喘息治療薬吸入器とすることができる。
【００４２】
図１０から図１４は、本発明である呼子付喘息治療薬吸入器の他の実施例を示した図である。図１０から図１４に示すように、本実施例の呼子付喘息治療薬吸入器は、図１５及び図１６に示した従来の喘息治療薬吸入器に呼子を取り付けたものである。
【００４３】
図１０は本発明である呼子付喘息治療薬吸入器の他の実施例の正面図、図１１は本発明である呼子付喘息治療薬吸入器の他の実施例の分解正面図、図１２は本発明である呼子付喘息治療薬吸入器の他の実施例の分解平面図である。
【００４４】
図１０に示すように、本発明である呼子付喘息治療薬吸入器１４は、マウスピース１４ａと本体１５と呼子１６と支持部１７により構成され、、図１１に示すように、呼子付喘息治療薬吸入器１４は、本体１５からマウスピース１４ａを取り外すことができる。
【００４５】
以下に、マウスピース１４ａを本体１５から取り外した状態の正面図を示す図１１及び平面図を示す図１２に基づき、呼子付喘息治療薬吸入器１４の構造を説明する。
【００４６】
図１１及び図１２に示すように、本実施例の呼子付喘息治療薬吸入器１４のマウスピース１４ａは、口にくわえる上部１４ｂに向かって前面及び後面がやや窄まった形状である。
【００４７】
その形状は、平面図に表されるように上部１４ｂが略長方形状である。前記略長方形状の上部１４ｂ内部には渦流を発生させるための渦型溝１４ｃが形成され、その中心部には貫通した薬剤流入孔１４ｄが形成されている。本実施例の呼子付喘息治療薬吸入器１４は、円筒形状の本体１５が、支持部１７に支持されている。
【００４８】
円筒形状の本体１５は、筒体１５ａの上部外周面には縦長の形状をした空気を取り入れるための空気取り入れ溝１５ｃが４ヶ所に設けられ、筒体１５ａの下部に取り付けられた嵌合部１５ｆには空気孔１５ｅが設けられている。前記嵌合部１５ｆは、図示しないが本体１５を覆うカバーを被せる際に、カバーを嵌合させる部分である。
【００４９】
筒体１５ａの上部には仕切り蓋１５ｈが取り付けられ、筒体１５ａ内部に内蔵された円筒状の吸入薬剤筒１５ｂの上端が前記仕切り蓋１５ｈの上端から突出している。また、また、同じく筒体１５ａ内部に内蔵された薬剤貯蔵筒１５ｇの上端が仕切り蓋１５ｈの上端から突出し、前記薬剤貯蔵筒１５ｇの上端には薬剤が出ないように蓋が嵌め込まれている。
【００５０】
本体１５の上部外周面に設けられた、４ヶ所の空気取り入れ溝１５ｃのうち１ヶ所に呼子１６が取り付けられている。前記呼子１６は脱着可能であり、４ヶ所の空気取り入れ溝１５ｃのいずれに取り付けても構わない。呼子１６の構造は、図６に示した呼子３と同様の構造である。尚、符号１５ｄは目盛りを示している。
【００５１】
図１３は本発明である呼子付喘息治療薬吸入器の他の実施例を使用して治療薬を吸入している状態、図１４はその内部の流れをそれぞれ示す図である。図１３に示すように、呼子付喘息治療薬吸入器１４を使用して喘息治療薬を自己吸入する場合は、まずマウスピース１４ａを口１８にくわえ、空気を吸い込む。符号１９が前記の口に吸い込んだ吸気を示す。
【００５２】
マウスピース１４ａを口１８にくわえ、空気を吸い込むと、本体１５下部の空気孔１５ｅから空気１９ａが流入し、更には吸気肺活量と微細粉末薬剤吸入経路の空気流量の差を補正し、吸気時の呼吸困難を生じないようにするため、筒体１５ａ上部に設けられた４ヶ所の空気取り入れ溝１５ｃからも空気１９ｂ、１９ｃが取り入れられる。
【００５３】
この時、呼子３の取り付けられている空気取り入れ溝１５ｃから取り入れられて空気１９ｃは、同時に呼子１６内に流入し、呼子１６を経てマウスピース１４ａ内に流入し、空気１９として患者の口腔内に吸い込まれる。
【００５４】
図１４は図１３に示した本発明である呼子付喘息治療薬吸入器を使用して治療薬を吸入している状態の内部での空気及び治療薬の流れを示した図である。マウスピース１４ａを口にくわえて空気を吸い込む。
【００５５】
すると、筒体１５ａ下部の空気孔１５ｅから空気１９ａが流入し、空気１９ａは吸入薬剤筒１５ｂ内を通過し、マウスピース１４ａ内に流れ込む。この時、空気孔１５ｅから吸入薬剤筒１５ｂ内に流れ込んだ空気１９ａは、吸入薬剤筒１５ｂ内の微粉末状の治療薬１９ｅを巻き上げて、治療薬１９ｅと共にマウスピース１４ａ内に流れ込む。
【００５６】
空気孔１５ａから空気１９ａが流入するとともに筒体１５ａの上部外周面に設けた４ヶ所の空気取り入れ溝１５ｃから空気１９ｂが取り入れられ、同時に空気取り入れ溝１５ｃに取り付けられた呼子１６にも空気１９ｃが流れ込む。そのため呼子１６内から空気１９ｄが流出する際に、呼子１６内の突起の振動により「ピー」という音１９ｆが発せられる。
【００５７】
空気孔１５ｅから流れ込んだ空気１９ａにより、巻き上げられた吸入薬剤筒１５ｂ内の微粉末状の治療薬１９ｅは、空気１９ａと共にマウスピース１４ａ内部の中心に設けられた薬剤流入孔１４ｄからマウスピース１４ａ内に流れ込み、渦型溝１４ｃにより渦流を発生させることで治療薬１９ｅを拡散させ、口腔内に吸入される。
【００５８】
ここで、呼子１６は筒体１５ａに設けられた空気取り入れ溝１５ｃの１ヶ所に取り付けられているが、４ヶ所の空気取り入れ溝１５ｃのうち何処に取り付けてもよく、また１ヶ所に限らず数カ所に取り付けることも可能である。
【００５９】
また、呼子１６を取り付ける場所としては、マウスピース１４ａに達するまでの空気流路のどこかに取り付ければよいので、空気取り入れ溝１５ｃでなく、空気孔１５ｅに取り付けても構わない。
【００６０】
以上に説明したように、本発明である呼子付喘息治療薬吸入器の他の実施例である図１０から図１４に示した呼子付喘息治療薬吸入器１４は、図１５及び図１６に示した喘息治療薬吸入器２０に呼子を取り付けたものであるが、喘息治療薬吸入器２０に限らず、マウスピースの手前である本体下部及び本体上部から空気を取り入れる。
【００６１】
即ち、空気流路の上流部分から空気を取り入れるタイプの吸入器であれば、空気孔、空気取り入れ溝等の空気を取り入れる部分に呼子を取り付けて呼子付喘息治療薬吸入器とすることができる。
【００６２】
【発明の効果】
本発明は、以上に説明したような構成であるから、以下の効果が得られる。第１に、本発明である呼子付喘息治療薬吸入器は、呼子から音が出ることで治療薬を吸入する患者本人が、十分に治療薬を吸入できたことを確認することが可能となる。
【００６３】
第２に、吸入操作ができないお年寄りや小児の患者にも、吸入すると音が出ることを説明することで、分かり易く吸入操作の説明をすることができる。
【００６４】
第３に、呼子は脱着可能であるため、吸入器の操作に慣れた患者は呼子を取り外して使用することができる。
【００６５】
第４に、マウスピースに空気を取り入れるための小孔が設けられた、空気流路の下流部分から空気を取り入れるタイプの吸入器の場合には小孔に呼子を取り付け、マウスピースの手前の本体部分に空気を取り入れるための空気孔、空気取り入れ溝等が設けられた、空気流路の上流部分から空気を取り入れるタイプの吸入器の場合には本体部分に呼子を取り付けることができるので、治療薬を自己吸入するタイプの吸入器の殆どが、呼子を取り付けた呼子付喘息治療薬吸入器とすることができる。
【図面の簡単な説明】
【図１】本発明である呼子付喘息治療薬吸入器の正面図である。
【図２】本発明である呼子付喘息治療薬吸入器の右側面図である。
【図３】本発明である呼子付喘息治療薬吸入器の平面図である。
【図４】本発明である呼子付喘息治療薬吸入器を使用して治療薬を吸入している状態を示す図である。
【図５】本発明である呼子付喘息治療薬吸入器を使用して治療薬を吸入している状態の一部拡大断面図である。
【図６】本発明である呼子付喘息治療薬吸入器の呼子部分の拡大断面図である。
【図７】従来の喘息治療薬吸入器の正面図である。
【図８】従来の喘息治療薬吸入器の右側面図である。
【図９】従来の喘息治療薬吸入器の平面図である。
【図１０】本発明である呼子付喘息治療薬吸入器の他の実施例の正面図である。
【図１１】本発明である呼子付喘息治療薬吸入器の他の実施例の分解正面図である。
【図１２】本発明である呼子付喘息治療薬吸入器の他の実施例の分解平面図である。
【図１３】本発明である呼子付喘息治療薬吸入器の他の実施例を使用して治療薬を吸入している状態を示す図である。
【図１４】本発明である呼子付喘息治療薬吸入器の他の実施例を使用して治療薬を吸入している状態の内部の流れを示した図である。
【図１５】従来の喘息治療薬吸入器の分解正面図である。
【図１６】従来の喘息治療薬吸入器の分解平面図である。
【符号の説明】
１          呼子付喘息治療薬吸入器
１ａ        本体
１ｂ        ディスクカバー
１ｃ        針部
１ｄ        突起
２          マウスピース
２ａ        左小孔
２ｂ        右小孔
３          呼子
３ａ        流入口
３ｂ        通気孔
３ｃ        共鳴室
３ｄ        突起
３ｅ        流出口
３ｆ        仕切り
４          ロタディスク
４ａ        表面孔
４ｂ        底面孔
４ｃ        治療薬
５          小室
６          格子
７          患者
７ａ        吸気
８          空気
８ａ        空気
８ｂ        空気
８ｃ        空気
８ｄ        音
９          喘息治療薬吸入器
９ａ        本体
９ｂ        ディスクカバー
９ｃ        針部
９ｄ        突起
１０          マウスピース
１０ａ        小孔
１１          ロタディスク
１１ａ        孔
１２          小室
１３          格子
１４          呼子付喘息治療薬吸入器
１４ａ        マウスピース
１４ｂ        上部
１４ｃ        渦型溝
１４ｄ        薬剤流入孔
１５          本体
１５ａ        筒体
１５ｂ        吸入薬剤筒
１５ｃ        空気取り入れ溝
１５ｄ        目盛り
１５ｅ        空気孔
１５ｆ        嵌合部
１５ｇ        薬剤貯蔵筒
１５ｈ        仕切り蓋
１６          呼子
１７          支持部
１８          口
１９          空気
１９ａ〜１９ｄ  空気
１９ｅ        治療薬
１９ｆ        音
２０          喘息治療薬吸入器
２０ａ        マウスピース
２０ｂ        上部
２０ｃ        渦型溝
２０ｄ        薬剤流入孔
２１          本体
２１ａ        筒体
２１ｂ        吸入薬剤筒
２１ｃ        空気取り入れ孔
２１ｄ        目盛り
２１ｅ        空気孔
２１ｆ        嵌合部
２１ｇ        薬剤貯蔵筒
２２          支持部
【図１】
2004195191.tif 000003
【図２】
2004195191.tif 000004
【図３】
2004195191.tif 000005
【図４】
2004195191.tif 000006
【図５】
2004195191.tif 000007
【図６】
2004195191.tif 000008
【図７】
2004195191.tif 000009
【図８】
2004195191.tif 000010
【図９】
2004195191.tif 000011
【図１０】
2004195191.tif 000012
【図１１】
2004195191.tif 000013
【図１２】
2004195191.tif 000014
【図１３】
2004195191.tif 000015
【図１４】
2004195191.tif 000016
【図１５】
2004195191.tif 000017
【図１６】
2004195191.tif 000018